(57)【特許請求の範囲】
【請求項１】
基地局が、基準時間に従って、マルチメディア・ブロードキャスト／マルチキャスト・サービス・データの送信を中断または再開するスケジューリング期間を決定するステップであって、前記基準時間は、マルチキャスト制御チャネル・メッセージが更新されるマルチキャスト制御チャネル修正期間の開始時間を含む、ステップと、
前記基地局が、前記決定したスケジューリング期間中に、前記マルチメディア・ブロードキャスト／マルチキャスト・サービス・データの送信を中断または再開するステップと、
を含み、
前記基地局が前記基準時間に従って前記マルチメディア・ブロードキャスト／マルチキャスト・サービス・データの送信を中断または再開する前記スケジューリング期間を決定するステップは、
前記基地局が、前記基準時間の後の前記マルチメディア・ブロードキャスト／マルチキャスト・サービス・データを担持するマルチキャスト・チャネルのＭ番目のスケジューリング期間を、前記マルチメディア・ブロードキャスト／マルチキャスト・サービス・データの送信を中断または再開する前記スケジューリング期間として決定するステップを含み、Ｍは１以上の整数であり、前記Ｍ番目のスケジューリング期間は、前記マルチキャスト制御チャネル・メッセージが更新される前記マルチキャスト制御チャネル修正期間の範囲内にある、
マルチメディア・ブロードキャスト／マルチキャスト・サービス・データの伝送制御方法。
【請求項２】
前記基地局が前記マルチメディア・ブロードキャスト／マルチキャスト・サービス・データの送信を中断または再開する前記スケジューリング期間を決定するステップの前に、前記方法は、
前記基地局が前記基準時間を示す指示情報をマルチセル／マルチキャスト調整エンティティ（ＭＣＥ）から受信するステップ、
をさらに含む請求項１に記載の方法。
【請求項３】
マルチセル／マルチキャスト調整エンティティ（ＭＣＥ）が、基準時間を示す指示情報を生成するステップであって、前記基準時間は、マルチキャスト制御チャネル・メッセージが更新されるマルチキャスト制御チャネル修正期間の開始時間を含む、ステップと、
前記ＭＣＥが、同じマルチメディア・ブロードキャスト／マルチキャスト・サービス単一周波数ネットワーク領域範囲内の各基地局に前記指示情報を送信するステップであって、前記指示情報は、前記基地局が前記マルチメディア・ブロードキャスト／マルチキャスト・サービス・データの送信を中断または再開するスケジューリング期間を決定するために用いられる、ステップと、
を含み、
前記スケジューリング期間は、前記基準時間の後の前記マルチメディア・ブロードキャスト・サービス・データを担持するマルチキャスト・チャネルのＭ番目のスケジューリング期間であり、
Ｍは１以上の整数であり、前記Ｍ番目のスケジューリング期間は、前記マルチキャスト制御チャネル・メッセージが更新される前記マルチキャスト制御チャネル修正期間の範囲内にある、
マルチメディア・ブロードキャスト／マルチキャスト・サービス・データの伝送制御方法。
【請求項４】
基準時間に従ってマルチメディア・ブロードキャスト／マルチキャスト・サービス・データの送信を中断または再開するスケジューリング期間を決定するように構成されたスケジューリング期間決定モジュールと、
前記決定したスケジューリング期間中に前記マルチメディア・ブロードキャスト／マルチキャスト・サービス・データの送信を中断または再開するように構成された伝送制御モジュールと、
を含み、
前記基準時間は、マルチキャスト制御チャネル・メッセージが更新されるマルチキャスト制御チャネル修正期間の開始時間を含み、
前記スケジューリング期間決定モジュールは、前記基準時間の後の前記マルチメディア・ブロードキャスト／マルチキャスト・サービス・データを担持するマルチキャスト・チャネルのＭ番目のスケジューリング期間を前記マルチメディア・ブロードキャスト／マルチキャスト・サービス・データの送信を中断または再開する前記スケジューリング期間として決定するように構成され、Ｍは１以上の整数であり、前記Ｍ番目のスケジューリング期間は、前記マルチキャスト制御チャネル・メッセージが更新される前記マルチキャスト制御チャネル修正期間の範囲内にある、
基地局。
【請求項５】
前記基地局は、
マルチキャスト制御チャネル修正期間偏差値を事前に設定する、または前記マルチキャスト制御チャネル修正期間偏差値を含む受信した指示情報に従って前記マルチキャスト制御チャネル修正期間偏差値を取得するように構成された取得モジュールをさらに含む、請求項４に記載の基地局。
【請求項６】
前記基地局は、
前記基準時間を示す指示情報をマルチセル／マルチキャスト調整エンティティ（ＭＣＥ）から受信するように構成された取得モジュール、
をさらに含む請求項４に記載の基地局。
【請求項７】
基準時間を示す指示情報を生成するように構成された生成モジュールと、
同じマルチメディア・ブロードキャスト／マルチキャスト・サービス単一周波数ネットワーク領域範囲内の各基地局に前記指示情報を送信し、前記指示情報は、前記基地局がマルチメディア・ブロードキャスト／マルチキャスト・サービス・データの送信を中断または再開するスケジューリング期間を決定するために用いられる、ように構成された送信モジュールと、
を含み、
前記基準時間は、マルチキャスト制御チャネル・メッセージが更新されるマルチキャスト制御チャネル修正期間の中の第２のマルチキャスト制御チャネル反復期間の開始時間を含み、
前記スケジューリング期間は、前記基準時間の後の前記マルチメディア・ブロードキャスト／マルチキャスト・サービス・データを担持するマルチキャスト・チャネルのＭ番目のスケジューリング期間であり、
Ｍは１以上の整数であり、前記Ｍ番目のスケジューリング期間は、前記マルチキャスト制御チャネル・メッセージが更新される前記マルチキャスト制御チャネル修正期間の範囲内にある、
マルチセル／マルチキャスト調整エンティティ（ＭＣＥ）。
【請求項８】
請求項４から６のいずれか一項に記載の基地局および請求項７に記載のＭＣＥを含む、通信システム。
【請求項９】
請求項１又は２に記載の方法をコンピュータに実行させるプログラムを記録した、コンピュータ可読記憶媒体。
【請求項１０】
請求項３に記載の方法をコンピュータに実行させるプログラムを記録した、コンピュータ可読記憶媒体。
【発明の詳細な説明】
【技術分野】
【０００１】
本願は、参照によりその全体を本明細書に組み込む、「マルチメディア・ブロードキャスト／マルチキャスト・サービスのデータの伝送制御を行う方法、装置およびシステム」と題する２０１１年８月８日出願の中国特許出願第２０１１１０２２６１３３．７号の優先権を主張するものである。
【０００２】
本発明の実施形態は、通信技術に関し、さらに詳細には、マルチメディア・ブロードキャスト／マルチキャスト・サービス（Ｍｕｌｔｉｍｅｄｉａ  Ｂｒｏａｄｃａｓｔ  Ｍｕｌｔｉｃａｓｔ  Ｓｅｒｖｉｃｅ、ＭＢＭＳと略記する）のデータの伝送制御を行う方法、装置およびシステムに関する。
【背景技術】
【０００３】
ＭＢＭＳは、主として、ネットワーク側が、同じ内容のマルチメディア・サービス・データを複数の端末（ユーザ機器とも呼ぶ（Ｕｓｅｒ  Ｅｑｕｉｐｍｅｎｔ、ＵＥと略記する））に同時に送信して、エア・インタフェース資源を効率的に節約し、資源の利用率を向上させることができるようにすることができる、というものを指す。制御プレーンのプロセスは、ロング・ターム・エボリューション（Ｌｏｎｇ  Ｔｅｒｍ  Ｅｖｏｌｕｔｉｏｎ、ＬＴＥと略記する）通信システムにおけるＭＢＭＳサービス・データの送信開始前に実行して、ベアラを確立し、エア・インタフェース資源を割り付けるようにする必要がある。制御プレーンのプロセスでは、データ・ソースが、ゲートウェイ、モビリティ管理エンティティ（Ｍｏｂｉｌｉｔｙ  Ｍａｎａｇｅｍｅｎｔ  Ｅｎｔｉｔｙ、ＭＭＥと略記する）、マルチセル／マルチキャスト調整エンティティ（Ｍｕｌｔｉ−ｃｅｌｌ／ｍｕｌｔｉｃａｓｔ  Ｃｏｏｒｄｉｎａｔｉｏｎ  Ｅｎｔｉｔｙ、ＭＣＥと略記する）、および基地局（Ｅ−ＵＴＲＡＮ  ＮｏｄｅＢ、ｅＮＢと略記する）に沿って制御シグナリングをトリガする。具体的には、データ・ソースは、サービスの特徴、要求される資源、および予想送信領域などの情報を順次ゲートウェイに通知し、ゲートウェイは、対応するＩＰマルチキャスト・アドレスを割り当て、これをＭＭＥおよびＭＣＥに伝送し、ＭＣＥは、エア・インタフェース伝送資源を割り付けて各ｅＮＢに通知し、ｅＮＢは、ゲートウェイによって割り当てられたＩＰマルチキャスト・アドレスに従って対応するＩＰマルチキャスト・グループに加わり、ＭＣＥによって割り付けられたエア・インタフェース資源情報に従ってＭＢＭＳ伝送に使用される予約サブフレームを更新する。制御プレーンのプロセスが終了した後で、データ・ソースから送出されるユーザ・プレーンのＭＢＭＳサービス・データがゲートウェイを通過し、ＩＰマルチキャスト方式でＩＰマルチキャスト・グループ中の各ｅＮＢに到達し、その後ｅＮＢによってエア・インタフェースを介して各端末に伝送される。
【０００４】
ＬＴＥでは、ＭＢＭＳサービス・データの送信は、マルチメディア・ブロードキャスト／マルチキャスト・サービス単一周波数ネットワーク（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ、ＭＢＳＦＮと略記する）の伝送モードに従う。すなわち、特定の領域内の複数のｅＮＢが、同じサブフレーム内で全く同じＭＢＭＳサービス・データを送信しなければならない。これにより、これらのｅＮＢから送信されたＭＢＭＳサービス・データが端末に到着した後、それらの端末は、どのｅＮＢが信号を送信したのか区別することができず、複数のｅＮＢから送信された信号がＵＥにおいて重畳されて強化されることにより、パケット誤り率を低下させることができる。ＭＣＥは、実際の通信の制御の必要に応じて一部のサービスを中断する、すなわちこれらのサービスのＭＢＭＳサービス・データの送信を中断して、エア・インタフェース資源を節約し、ｅＮＢの電力消費を低減するという目的を達成する。サービスの中断は一時的なものであり、通信制御を実施するために必要な条件が満たされないときには、中断したサービスのＭＢＭＳサービス・データの送信を再開する必要がある。サービスの中断およびサービスの再開は、マルチメディア・ブロードキャスト／マルチキャスト・サービス単一周波数ネットワーク領域（ＭＢＳＦＮ  Ａｒｅａ、ＭＢＳＦＡと略記する）の範囲内で行われ、一般に、１つのサービスを複数のＭＢＳＦＡ範囲で伝送することができる。従って、データ・ソースは、一般に、そのサービスが中断されていないＭＢＳＦＡが利用できるように、このサービスのＭＢＭＳサービス・データを送信し続ける。
【０００５】
ＭＢＭＳサービス・データすなわちマルチキャスト制御チャネル（Ｍｕｌｔｉｃａｓｔ  Ｃｏｎｔｒｏｌ  Ｃｈａｎｎｅｌ、ＭＣＣＨと略記する）メッセージの制御シグナリングは周期的に送信され、ＭＣＥは、予め規定されたいくつかの時点でしかＭＣＣＨメッセージを修正することはできない。ＭＣＣＨメッセージを修正することができる２つの時点の間の時間間隔を、ＭＣＣＨ修正期間と呼び、同じＭＢＳＦＡ範囲内の各ｅＮＢは、同じ番号のＭＣＣＨ修正期間を使用する。ＭＣＥは、ある特定のＭＢＳＦＡ範囲内である特定のサービスを中断または再開する必要があると判断したときには、最初にそのＭＢＳＦＡ範囲内の全てのｅＮＢに通知し、特定のＭＣＣＨ修正期間からＭＣＣＨメッセージを更新することにより、同じＭＢＳＦＡ範囲内の全てのｅＮＢが同期してＭＣＣＨメッセージを更新することを保証する。ただし、従来技術では、同じＭＢＳＦＡ範囲内のｅＮＢがＭＢＭＳサービス・データの中断または再開の制御をいかに実現するかについての対応する解決策が存在しない。
【発明の概要】
【発明が解決しようとする課題】
【０００６】
本発明は、マルチメディア・ブロードキャスト／マルチキャスト・サービス・データの伝送制御を行う方法、装置およびシステムを提供する。
【課題を解決するための手段】
【０００７】
本発明の実施形態は、マルチメディア・ブロードキャスト／マルチキャスト・サービス・データの伝送制御を行う方法、装置およびシステムを提供して、マルチメディア・ブロードキャスト／マルチキャスト・サービス・データの伝送制御を実現するものである。
【０００８】
１つの態様では、本発明の実施形態は、
基準時間に従って、マルチメディア・ブロードキャスト／マルチキャスト・サービス・データの送信を中断または再開するスケジューリング期間を決定するステップと、
前記決定したスケジューリング期間中に、前記マルチメディア・ブロードキャスト／マルチキャスト・サービス・データの送信を中断または再開するステップと、
を含むマルチメディア・ブロードキャスト／マルチキャスト・サービス・データの伝送制御方法を提供する。
【０００９】
別の態様では、本発明の実施形態は、
基準時間を含む指示情報を生成するステップと、
同じマルチメディア・ブロードキャスト／マルチキャスト・サービス単一周波数ネットワーク領域範囲内の各基地局に前記指示情報を送信して、前記基準時間に従って前記マルチメディア・ブロードキャスト／マルチキャスト・サービス・データの送信を中断または再開するスケジューリング期間を決定するように前記基地局に命令するステップと、
を含むマルチメディア・ブロードキャスト／マルチキャスト・サービス・データの伝送制御方法をさらに提供する。
【００１０】
別の態様では、本発明の実施形態は、
基準時間に従ってマルチメディア・ブロードキャスト／マルチキャスト・サービス・データの送信を中断または再開するスケジューリング期間を決定するように構成されたスケジューリング期間決定モジュールと、
前記決定したスケジューリング期間中に前記ＭＢＭＳサービス・データの送信を中断または再開するように構成された伝送制御モジュールと、
を含む基地局を提供する。
【００１１】
別の態様では、本発明の実施形態は、
基準時間を含む指示情報を生成するように構成された生成モジュールと、
同じマルチメディア・ブロードキャスト／マルチキャスト・サービス単一周波数ネットワーク領域範囲内の各基地局に前記指示情報を送信して、前記基準時間に従って前記マルチメディア・ブロードキャスト／マルチキャスト・サービス・データの送信を中断または再開するスケジューリング期間を決定するように前記基地局に命令するように構成された送信モジュールと、
を含むネットワーク装置をさらに提供する。
【００１２】
別の態様では、本発明の実施形態は、前述の基地局および前述のネットワーク装置を含む通信システムをさらに提供する。
【００１３】
本発明の実施形態で提供されるマルチメディア・ブロードキャスト／マルチキャスト・サービス・データの伝送制御を行う方法、装置およびシステムでは、事前に取得した基準時間に従って、基地局が、ＭＢＭＳサービス・データの送信の中断または再開を開始するスケジューリング期間を決定し、決定したスケジューリング期間中にＭＢＭＳサービス・データの送信を中断または再開して、基地局によるＭＢＭＳサービス・データの伝送制御を実現する。本発明の実施形態により、同じＭＢＳＦＡ範囲内の各基地局が同じサービスのＭＢＭＳサービス・データの送信を同期して中断または再開することが容易になり、それによりサービスの干渉が低減しやすくなる。
【００１４】
本発明の実施形態または従来技術の技術的な解決策をより明白に示すために、以下、実施形態または従来技術の説明に必要な添付の図面について簡潔に説明する。以下に述べる添付の図面は、本発明の実施形態の一部に過ぎず、当業者なら、創造的努力を払わずともこれらの図面に依って他の図面をさらに考案することができることは明らかである。
【図面の簡単な説明】
【００１５】
【図１】本発明の第１の実施形態によるＭＢＭＳサービス・データの伝送制御方法を示す流れ図である。
【図２】本発明の第２の実施形態によるＭＢＭＳサービス・データの伝送制御方法を示す流れ図である。
【図３Ａ】本発明の実施形態によるＭＣＨスケジューリング期間へのＭＢＭＳサービス・データのマッピングを示す概略図である。
【図３Ｂ】本発明の実施形態によるＭＣＨスケジューリング期間内のＭＢＳＦＮサブフレームへのＭＢＭＳサービス・データのマッピングを示す概略図である。
【図３Ｃ】本発明の実施形態によるＭＣＣＨメッセージが更新されるＭＣＣＨ修正期間を示す概略図である。
【図３Ｄ】本発明の実施形態によるＭＢＭＳサービス・データの送信を中断するシナリオ例を示す図である。
【図３Ｅ】本発明の実施形態によるＭＢＭＳサービス・データの送信を再開する際に干渉を生じるシナリオ例を示す図である。
【図４】本発明の第３の実施形態によるＭＢＭＳサービス・データの伝送制御方法を示すシグナリング相互作用図である。
【図５】本発明の第３の実施形態によるＭＢＭＳサービス・データの伝送制御を行う時間を決定する第１の任意選択の実施方法例を示す図である。
【図６】本発明の第３の実施形態によるＭＢＭＳサービス・データの伝送制御を行う時間を決定する第２の任意選択の実施方法例を示す図である。
【図７】本発明の第３の実施形態によるＭＢＭＳサービス・データの伝送制御を行う時間を決定する第３の任意選択の実施方法例を示す図である。
【図８】本発明の第４の実施形態によるＭＢＭＳサービス・データの伝送制御方法を示すシグナリング相互作用図である。
【図９】本発明の第４の実施形態によるＭＢＭＳサービス・データの伝送制御を行う時間を決定する任意選択の実施方法例を示す図である。
【図１０】本発明の第５の実施形態によるＭＢＭＳサービス・データの伝送制御方法を示すシグナリング相互作用図である。
【図１１】本発明の第６の実施形態による基地局を示す概略構造図である。
【図１２】本発明の第７の実施形態によるネットワーク装置を示す概略構造図である。
【発明を実施するための形態】
【００１６】
本発明の実施形態の目的、技術的解決策および利点をさらに明らかにするために、以下、本発明の実施形態において、添付の図面を参照して、本発明の実施形態における技術的解決策について明快かつ完全に説明する。以下の説明における実施形態は、本発明の全ての実施形態ではなく、その一部に過ぎないことは明らかである。創造的努力を払うことなく本発明のこれらの実施形態に基づいて当業者が得るその他の全ての実施形態は、本発明の保護範囲に含まれるものとする。
【００１７】
本発明の以下の実施形態の続き番号は、単に説明のためのものであり、それらの実施形態の良否を表しているわけではない。
【００１８】
図１は、本発明の第１の実施形態によるＭＢＭＳサービス・データの伝送制御方法を示す流れ図である。この実施形態の実施主体は、ｅＮＢなどの基地局であってよい。図１に示すように、この実施形態によるＭＢＭＳサービス・データの伝送制御方法は、以下のステップを含む。
【００１９】
ステップ１１。基準時間に従って、ＭＢＭＳサービス・データの送信を中断または再開するスケジューリング期間を決定する。
【００２０】
基地局は、ＭＢＭＳサービス・データの送信を中断または再開するスケジューリング期間を決定する前に、基準時間を取得する。基準時間は、ＭＣＥなどのネットワーク側装置が直接示すことができる。あるいは、例えばＭＣＥがＭＣＣＨメッセージのＭＣＣＨ修正期間を更新するように基地局に命令し、基地局がそのＭＣＣＨ修正期間に基づいて基準時間を決定するなど、ＭＣＥなどのネットワーク側装置が間接的に基準時間を示してもよい。基地局は、基準時間を取得した後で、その基準時間から時間軸を溯る特定のスケジューリング期間を決定する。このスケジューリング期間が、ＭＢＭＳサービス・データの送信を中断または再開するスケジューリング期間として採用される。
【００２１】
例えば、基地局は、基準時間から開始して溯るようにＭＢＭＳサービス・データを担持するマルチキャスト・チャネル（Ｍｕｌｔｉｃａｓｔ  Ｃｈａｎｎｅｌ、ＭＣＨと略記する）のＭ番目のスケジューリング期間を検索し、発見したスケジューリング期間を、ＭＢＭＳサービス・データを中断または再開するスケジューリング期間として決定することができる。ここで、Ｍは、１以上の整数とする。Ｍは、特定の事前に決定された値とすることができ、例えば、通信プロトコルが予めＭ＝１と決定してもよいし、または、特定の事前に設定された値とすることもでき、例えば、ネットワーク管理システムが、同じマルチメディア・ブロードキャスト／マルチキャスト・サービス単一周波数ネットワーク領域（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  ｎｅｔｗｏｒｋ  Ａｒｅａ、ＭＢＳＦＡと略記する）内の各基地局に対して予め同じＭの値、例えばＭを１に設定する。
【００２２】
ステップ１２。決定したスケジューリング期間中にＭＢＭＳサービス・データの送信を中断または再開する。
【００２３】
この実施形態によるＭＢＭＳサービス・データの伝送制御方法では、基地局が、事前に取得した基準時間に従って、ＭＢＭＳサービス・データの送信を中断または再開するスケジューリング期間を決定し、その決定したスケジューリング期間中にＭＢＭＳサービス・データの送信を中断または再開して、基地局によるＭＢＭＳサービス・データの伝送制御を実現する。同じＭＢＳＦＡ内の各基地局は、本発明のこの実施形態で提供される同じ方法を採用して、特定のサービスのＭＢＭＳサービス・データの送信を中断または再開するスケジューリング期間として同じスケジューリング期間を決定することができるので、これらの基地局は、同じサービスのＭＢＭＳサービス・データの送信の中断または再開を同期して行うことができ、それによりサービス中の干渉の低減を容易にすることができる。
【００２４】
図２は、本発明の第２の実施形態によるＭＢＭＳサービス・データの伝送制御方法を示す流れ図である。この実施形態の実施主体は、ＭＣＥなど、基地局と関係するネットワーク側装置とすることができる。図２に示すように、この実施形態によるＭＢＭＳサービス・データの伝送制御方法は、以下のステップを含む。
【００２５】
ステップ２１。基準時間を含む指示情報を生成する。
【００２６】
基準時間は、基地局がＭＢＭＳサービス・データを中断または再開するスケジューリング期間を決定するために使用されるが、ネットワーク側装置によって指定される開始時間、またはＭＣＣＨ修正期間偏差値Ｎを含むことができる（ただしこれらに限定されない）。ここで、Ｎは、１以上の整数である。
【００２７】
ステップ２２。同じＭＢＳＦＡ範囲内の各基地局に指示情報を送信して、基準時間に従ってＭＢＭＳサービス・データの送信を中断または再開するスケジューリング期間を決定するように各基地局に命令する。
【００２８】
同じＭＢＳＦＡ範囲内の各基地局は、ＭＣＥなどのネットワーク側装置から送信された指示情報を受信し、その指示情報に含まれる基準時間を取得し、この基準時間に従ってＭＢＭＳサービス・データの送信を中断または再開するスケジューリング期間を決定する。
【００２９】
例えば、基準時間は、ネットワーク側装置によって指定される開始時間、例えばＭＣＥまたはＯＡＭ（Ｏｐｅｒａｔｉｏｎｓ、Ａｄｍｉｎｉｓｔｒａｔｉｏｎ  ａｎｄ  Ｍａｉｎｔｅｎａｎｃｅ）によって指定される開始時間とすることができ、その場合、同じＭＢＳＦＡ範囲内の各基地局は、ネットワーク側装置によって示される開始時間に従って、ネットワーク側装置によって示される開始時間後にＭＢＭＳサービス・データを担持するＭＣＨのＭ番目のスケジューリング期間を、ＭＢＭＳサービス・データの送信を中断または再開するスケジューリング期間として決定することができる。ここで、Ｍは、１以上の整数である。
【００３０】
例えば、基準時間は、ＭＣＣＨ修正期間偏差値Ｎとすることができる。ここで、Ｎは、１以上の整数とする。その場合には、同じＭＢＳＦＡ範囲内の各基地局は、マルチキャスト制御チャネル・メッセージを更新するマルチキャスト制御チャネル修正期間後のＮ番目のマルチキャスト制御チャネル修正期間の開始時間後のマルチメディア・ブロードキャスト／マルチキャスト・サービス・データを担持するマルチキャスト・チャネルのＭ番目のスケジューリング期間を、マルチメディア・ブロードキャスト／マルチキャスト・サービス・データの送信を中断または再開するスケジューリング期間として決定することができる。ここで、Ｍは、１以上の整数である。
【００３１】
この実施形態によるＭＢＭＳサービス・データの伝送制御方法では、ネットワーク装置は、同じＭＢＳＦＡ内の各基地局に対して特定のサービスのＭＢＭＳサービス・データの送信を中断または再開するスケジューリング期間を決定するための基準時間を示すので、同じＭＢＳＦＡ内の各基地局は、この基準時間に従って、このサービスのＭＢＭＳサービス・データの送信を中断または再開するスケジューリング期間として同じスケジューリング期間を決定することができ、これらの基地局は、同じサービスのＭＢＭＳサービス・データの送信の中断または再開を同期して行うことができ、それによりサービス中の干渉の低減を容易にすることができる。
【００３２】
以下、図３Ａから図３Ｅを参照して、ＭＢＭＳサービス・データの伝送原理について詳細に説明し、ＬＴＥシステムにおいてサービスに干渉が発生する理由として考えられるものを分析し、本発明の実施形態において提供される技術的解決策を用いることによるサービスの干渉の低減の技術的本質について説明する。
【００３３】
図３Ａは、本発明の実施形態による、ＭＣＨスケジューリング期間へのＭＢＭＳサービス・データのマッピングを示す概略図である。ＭＢＳＦＮによる送信という目的を達成するために、サービス・ベアラのＭＣＨを予め決定することができ、各ＭＣＨの各スケジューリング期間が、ＭＢＭＳサービス・データの伝送に使用することができる１または複数のサブフレームを含む。このタイプのサブフレームを、ＭＢＳＦＮサブフレームと呼ぶ。図３Ａでは、各無線フレームの３つのサブフレーム、すなわち３番、６番および８番のサブフレームが、ＭＢＳＦＮ伝送に使用される。すなわち３番、６番、および８番のサブフレームがＭＢＳＦＮサブフレームである。図３Ａに示すＭＣＨは、サービスＡ、ＢおよびＣのＭＢＭＳサービス・データを担持するものと仮定する。このＭＣＨのスケジューリング期間には、時間順序に従って特定の事前に決定された時点から番号が振られる。ｅＮＢは、各ＭＢＭＳサービス・データ・パケットによって搬送されるタイム・スタンプに従って、各ＭＢＭＳサービス・データ・パケットをＭＣＨの対応するスケジューリング期間にマッピングする。例えば、図３Ａでは、サービスＡの３６０番および３６１番のＭＢＭＳサービス・データ・パケットならびにサービスＢの０番および１番のＭＢＭＳサービス・データ・パケットが、ＭＣＨのＭ番目のスケジューリング期間にマッピングされ、サービスＢの２番および３番のＭＢＭＳサービス・データ・パケットならびにサービスＣの０番および１番のＭＢＭＳサービス・データ・パケットが、ＭＣＨの（Ｍ＋１）番目のスケジューリング期間にマッピングされる。ここで、Ｍは、ＭＣＨのスケジューリング期間の番号を表しており、１以上の整数である。
【００３４】
図３Ｂは、本発明の実施形態による、ＭＣＨスケジューリング期間中のＭＢＳＦＮサブフレームへの、ＭＢＭＳサービス・データのマッピングを示す概略図である。ＭＣＨの１つのスケジューリング期間において、各サービスのＭＢＭＳサービス・データが、順次各ＭＢＳＦＮサブフレーム内に配置される。最初にサービスごとに配置される。このサービスの順序は、ＭＣＥが決定して、ｅＮＢに対して示すことができる。次いで、同じサービスのＭＢＭＳサービス・データが、順次配置される。サービスの順序がＡ、Ｂ、Ｃの順序である場合の、上述の例の具体的な伝送を図３Ｂに示す。具体的には、サービスＡの３６０番のＭＢＭＳサービス・データ・パケットは、３番のサブフレームにマッピングされる。３番のサブフレームの資源がまだ残っている場合には、３６１番のＭＢＭＳサービス・データ・パケットが、引き続き３番のサブフレームにマッピングされる。３６１番のＭＢＭＳサービス・データ・パケットが３番のサブフレームにマッピングされた後の残りのコンテンツは、６番のサブフレームにマッピングされ、以下、同様にマッピングが行われる。ＭＣＨの現在のスケジューリング期間に含まれるＭＢＳＦＮサブフレーム資源を使い果たしたが、特定の番号のＭＢＭＳサービス・データ・パケットの伝送がまだ完了していない場合には、ｅＮＢは、現在のスケジューリング期間中に伝送されないサービス・データのうち、そのＭＣＨのものであり、かつＭＢＭＳサービス・データ・パケットであるものを廃棄する。
【００３５】
ＭＢＭＳシステムでは、ＭＣＥは、実際の通信の必要に応じて特定のサービスを中断して、エア・インタフェース資源を節約し、ｅＮＢの電力消費を低減するという目的を達成することができる。例えば、ＭＣＥは、各ｅＮＢに対して、特定のサービスのＭＢＭＳサービス・データの受信側の数の統計を取るように命令する。受信側の数が極めて少ない場合には、ＭＣＥは、そのサービスを中断することがある。例えば、より優先順位の高いサービスのＭＢＭＳサービス・データを伝送するときに、ＭＣＥが現在のエア・インタフェース資源が不十分であることを発見した場合には、この場合には、ＭＣＥは、優先順位の低いいくつかのサービスを中断することがある。
【００３６】
サービスの中断は、通常は一時的なものであり、中断したサービスは、一定期間後に再開する必要がある。例えば、あるサービスをある期間だけ中断した後で、ＭＣＥは、ｅＮＢに対して、そのサービスのＭＢＭＳサービス・データの受信側の数の統計を再度取るように命令することがあり、受信側の数が増えている場合には、ＭＣＥは、ｅＮＢがエア・インタフェースを介したこのサービスのＭＢＭＳサービス・データの送信を再開してもよいと判断することがある。例えば、中断したサービス以外の１つまたは複数のサービスのＭＢＭＳサービス・データの伝送が終了し、エア・インタフェース資源の一部が空いたときに、ＭＣＥは、ｅＮＢに対して、そのサービスのＭＢＭＳサービス・データの送信を再開するように命令することができる。
【００３７】
端末は、ＭＢＭＳサービスの制御シグナリングに従って、すなわちＭＣＣＨメッセージに従って、ＭＢＭＳサービス・データを受信することを決定するので、ＭＣＣＨメッセージが示すサービス情報は、実際に送信されるＭＢＭＳサービス・データに対応していなければならない。ＭＣＥが特定のサービスのＭＢＭＳサービス・データの送信を中断または再開することを決定するときには、ＭＣＣＨメッセージの現在の更新機構に基づいて、各ｅＮＢが同期してＭＣＣＨメッセージを更新することが保証される。具体的には、ＭＣＣＨメッセージが周期的に送信され、ＭＣＥは、事前に規定されたいくつかの時点でしかＭＣＣＨメッセージを更新することができない。ＭＣＣＨメッセージが更新される可能性がある２つの時点の間の時間間隔を、ＭＣＣＨ修正期間と呼ぶ。各ＭＣＣＨ修正期間は、複数のＭＣＣＨ反復期間を含むことができ、図３Ｃに示すように、４つのＭＣＣＨ反復期間を含むことができる。ｅＮＢは、４つのＭＣＣＨ反復期間のそれぞれにおいてＭＣＣＨメッセージを送信するが、それら４つのＭＣＣＨ反復期間中に送信されるＭＣＣＨメッセージの内容は同じである。ｅＮＢは、次のＭＣＣＨ修正期間の開始時にＭＣＣＨメッセージの内容を修正する、すなわちＭＣＣＨメッセージを更新することしかできない。ＬＴＥの各ＭＣＣＨ修正期間には番号が振られるが、ＭＢＳＦＮ内の各ｅＮＢが、全て同じ開始時点においてＭＣＣＨ修正期間に番号を振るので、同じ瞬間において、同じＭＢＳＦＡ範囲内の各ｅＮＢは、同じＭＣＣＨ修正期間の番号を使用している。ＭＣＥは、特定のＭＢＳＦＡにおいて特定のサービスを中断または再開する必要があると判断したときには、最初にそのＭＢＳＦＡ内の全てのｅＮＢに対して、特定のＭＣＣＨ修正期間からＭＣＣＨメッセージを更新するように命令する。同じＭＢＳＦＡ範囲内の全てのｅＮＢが同じＭＣＣＨ修正期間内のＭＣＣＨメッセージを更新して、ＭＣＣＨメッセージに示されているサービス情報が実際にエア・インタフェースを介して伝送されているＭＢＭＳデータと一致することを保証する。
【００３８】
同じＭＢＳＦＡ内の各ｅＮＢが同じＭＣＣＨ修正期間内のＭＣＣＨメッセージを同期して更新するが、従来技術には、対応するＭＢＭＳサービス・データの伝送制御を行う時間を決定するために用いられる統一された方法がないので、ｅＮＢが、対応するＭＢＭＳサービス・データの伝送制御を行う時間を無作為に決定するのが普通であり、その結果として、サービスに干渉が生じることがある。以下、その詳細を、例を挙げて説明する。
【００３９】
図３Ｄは、本発明の実施形態による適用シナリオによる、ＭＢＭＳサービス・データの送信を中断するシナリオ例を示す図である。ＭＣＥが、ＭＢＳＦＡ２の範囲内のサービスＡを中断することを決定し、その後、ｅＮＢ２１およびｅＮＢ２２など、ＭＢＳＦＡ２の範囲内の全てのｅＮＢにそのことを示すものと仮定する。具体的には、図３Ｄに示すように、ＭＣＥは、ｅＮＢ２１およびｅＮＢ２２など、ＭＢＳＦＡ２の範囲内の全てのｅＮＢに対して、８１番のＭＣＣＨ修正期間の開始時にＭＣＣＨメッセージの更新を開始するように、すなわち元のＭＣＣＨメッセージからサービスＡの対応する制御情報を削除するように命令する。ｅＮＢ２１およびｅＮＢ２２は、同期してＭＣＣＨメッセージを更新するが、サービスＡのデータ・パケットの送信の中断を開始するスケジューリング期間は異なる可能性がある。
【００４０】
図３Ｅは、本発明の実施形態の適用シナリオによる、ＭＢＭＳサービス・データの送信を再開することによって干渉を生じるシナリオ例を示す図である。ＭＣＥは、ＭＢＳＦＡ２の範囲内のサービスＡを再開することを決定した場合には、ｅＮＢ２１およびｅＮＢ２２など、ＭＢＳＦＡ２の範囲内の全てのｅＮＢに対して、同じ番号のＭＣＣＨ修正期間の開始時にＭＣＣＨメッセージの更新を開始するように命令する。ｅＮＢ２１およびｅＮＢ２２は、同期してＭＣＣＨメッセージを更新するが、サービスのＭＢＭＳサービス・データの送信の再開を開始するスケジューリング期間は異なる可能性がある。例えば、ｅＮＢ２１が、ＭＣＨのＭ番目のスケジューリング期間においてサービスＡのデータ・パケットの送信を再開することを無作為に決定した場合には、ＭＣＨのＭ番目のスケジューリング期間においてｅＮＢ２１が送信するＭＢＭＳサービス・データは、サービスＡの３６０番および３６１番のデータ・パケット、ならびにサービスＢの０番および１番のデータ・パケットであるが、ｅＮＢ２２が、ＭＣＨの（Ｍ＋１）番目のスケジューリング期間においてサービスのＭＢＭＳデータの送信を再開することを無作為に決定した場合には、ＭＣＨの（Ｍ＋１）番目のスケジューリング期間においてｅＮＢ２２が送信するＭＢＭＳデータは、サービスＢの０番および１番のデータ・パケットである。ＭＣＨのＭ番目のスケジューリング期間では、エア・インタフェースを介してｅＮＢ２１およびｅＮＢ２２によって送信されるデータ・パケットが異なることが分かる。ＭＢＳＦＮ伝送モードは、同じＭＢＳＦＡ範囲内の全てのｅＮＢが同じ内容を伝送することを保証しなければならないにも関わらず、ｅＮＢ２１とｅＮＢ２２が異なるＭＢＭＳサービス・データをエア・インタフェースを介して送信するので、サービスに干渉が生じる。同様に、ＭＢＭＳサービスを中断したときも、同じＭＢＳＦＡ範囲内内の異なるｅＮＢが異なるスケジューリング期間にサービスのＭＢＭＳサービス・データの送信の中断を開始すると、各ｅＮＢが同じスケジューリング期間にエア・インタフェースを介して異なる内容を送信することになり、やはりサービスに干渉が生じる可能性がある。
【００４１】
この実施形態で提供されるＭＢＭＳデータの伝送制御方法では、事前に取得した基準時間に従って、ｅＮＢが、ＭＢＭＳサービス・データの伝送制御を行う時間を決定する。同じＭＢＳＦＡ範囲内の各ｅＮＢは同じ方法を使用し、決定されたＭＢＭＳサービス・データの伝送制御を行う時間は同じであるので、同じＭＢＳＦＡ範囲内の各ｅＮＢは、同じＭＢＭＳサービス・データの送信を同期して中断または再開することができ、それによりサービスの干渉を低減することができる。
【００４２】
図４は、本発明の第３の実施形態によるＭＢＭＳサービス・データの伝送制御方法を示すシグナリング相互作用図である。この実施形態における基準時間は、ＭＣＣＨメッセージを更新するＭＣＣＨ修正期間の特定の時間である。図４に示すように、この実施形態による方法は、以下のステップを含む。
【００４３】
ステップ４１。ＭＣＥが、サービスＡを中断または再開することを決定し、ＭＢＭＳスケジューリング情報を生成する。
【００４４】
ＭＣＥは、サービスＡを中断することを決定した場合には、ＭＣＣＨメッセージからサービスＡの制御シグナリングを削除して、ＭＣＣＨメッセージを更新する。ＭＣＥは、中断したサービスＡを再開することを決定した場合には、サービスＡの制御シグナリングをＭＣＣＨメッセージ内に追加して、ＭＣＣＨメッセージを更新する。
【００４５】
ＭＣＣＨスケジューリング情報は、ＭＣＣＨメッセージが更新されるＭＣＣＨ修正期間を示すために使用されるパラメータ「ＭＣＣＨ更新修正期間」を含み、ＭＣＣＨメッセージは、ＭＢＭＳサービスの中断または再開の情報など、ＭＢＭＳサービス・データに対応する制御シグナリングを含む。
【００４６】
ステップ４２。ＭＣＥが、ＭＢＭＳスケジューリング情報をｅＮＢに送信する。ＭＢＭＳスケジューリング情報は、パラメータ「ＭＣＣＨ更新修正期間」を含む。
【００４７】
ステップ４３。ｅＮＢが、ＭＢＭＳスケジューリング情報を受信し、そのＭＢＭＳスケジューリング情報に含まれるパラメータ「ＭＣＣＨ更新修正期間」に対応するＭＣＣＨ修正期間中にＭＣＣＨメッセージを更新する。
【００４８】
ｅＮＢは、パラメータ「ＭＣＣＨ更新修正期間」に対応するＭＣＣＨ修正期間中にＭＣＣＨメッセージを受信し、この新たに受信したＭＣＣＨメッセージをｅＮＢ内に記憶されているＭＣＣＨメッセージ（元のＭＣＣＨメッセージと呼ぶ）と比較する。新たに受信したＭＣＣＨメッセージに元のＭＣＣＨメッセージに関係するサービスＡの制御シグナリングが存在しなければ、ｅＮＢは、ＭＣＥがサービスＡを中断していることを知る。新たに受信したＭＣＣＨメッセージに元のＭＣＣＨメッセージに関係するサービスＡの制御シグナリングが付加されていれば、ｅＮＢは、ＭＣＥがサービスＡを再開したことを知る。
【００４９】
ステップ４４。ｅＮＢが、ＭＣＣＨメッセージが更新されるＭＣＣＨ修正期間の特定の時間から、ＭＢＭＳサービス・データを担持するＭＣＨの第１のスケジューリング期間を、ＭＢＭＳサービス・データを中断または再開するスケジューリング期間として決定する。
【００５０】
ＬＴＥシステムでは、サービスとＭＣＨの間の対応関係は予め決められており、サービスＡに対応するＭＣＨでは、サービスＡのＭＢＭＳデータなど特定のサービスしか伝送することができない。以下、図５から図８を参照して、必要に応じてＭＣＣＨメッセージが更新されるＭＣＣＨ修正期間中の異なる時間から、対応するＭＢＭＳサービス・データの中断または再開を開始するスケジューリング期間をｅＮＢが決定するいくつかの実施方法について、詳細に説明する。説明を容易にするために、図５から図７では、説明のための例として３つのＭＣＨ、すなわちＭＣＨ１、ＭＣＨ２およびＭＣＨ３のみを使用するが、この例は、本発明の技術的解決策の本質を制限するものとして解釈すべきではない。
【００５１】
実施方法１。ＭＣＣＨメッセージが更新されるＭＣＣＨ修正期間の開始時間から、ＭＢＭＳサービス・データを担持するＭＣＨの第１のスケジューリング期間を溯って検索し、発見したスケジューリング期間を、ＭＢＭＳサービス・データを中断または再開するスケジューリング期間として決定する。その詳細を、図５に示す。
【００５２】
サービスＡのＭＢＭＳサービス・データを担持するＭＣＨが、ＭＣＨ１であると事前に決定されている場合には、ｅＮＢは、ＭＣＣＨメッセージが更新されるＭＣＣＨ修正期間の開始時間から溯って、ＭＣＨ１の第１のスケジューリング期間、すなわち図５に示す時間１に対応するスケジューリング期間を検索し、発見したＭＣＨ１の第１のスケジューリング期間を、サービスＡのＭＢＭＳサービス・データの送信を中断または再開するスケジューリング期間として決定する。
【００５３】
サービスＡのＭＢＭＳサービス・データを担持するＭＣＨが、ＭＣＨ２であると事前に決定されている場合には、ｅＮＢは、ＭＣＣＨメッセージが更新されるＭＣＣＨ修正期間の開始時間から溯って、ＭＣＨ２の第１のスケジューリング期間、すなわち図５に示す時間２に対応するスケジューリング期間を検索し、発見したＭＣＨ２の第１のスケジューリング期間を、サービスＡのＭＢＭＳサービス・データの送信を中断または再開するスケジューリング期間として決定する。
【００５４】
サービスＡのＭＢＭＳサービス・データを担持するＭＣＨが、ＭＣＨ３であると事前に決定されている場合には、ｅＮＢは、ＭＣＣＨメッセージが更新されるＭＣＣＨ修正期間の開始時間から溯って、ＭＣＨ３の第１のスケジューリング期間、すなわち図５に示す時間３に対応するスケジューリング期間を検索し、発見したＭＣＨ３の第１のスケジューリング期間を、サービスＡのＭＢＭＳサービス・データの送信を中断または再開するスケジューリング期間として決定する。
【００５５】
実施方法２。ＭＣＣＨメッセージが更新されるＭＣＣＨ修正期間中で最初にＭＣＣＨメッセージを伝送する開始時間から、ＭＢＭＳサービス・データを担持するＭＣＨの第１のスケジューリング期間を溯って検索し、発見したスケジューリング期間を、ＭＢＭＳサービス・データを中断または再開するスケジューリング期間として決定する。
【００５６】
各ＭＣＣＨ修正期間は４つのＭＣＣＨ反復期間を含むことができるが、異なるＭＣＣＨ反復期間中でも、伝送されるＭＣＣＨメッセージの内容は同じである。ＭＣＣＨメッセージは、各ＭＣＣＨ反復期間の第１のＭＢＳＦＮサブフレームでも、第１のＭＢＳＦＮサブフレーム以外のサブフレームでも送信することができる。各ＭＣＣＨ反復期間は、４つの共通期間を含むことができ、各共通期間は、ＭＣＨ１、ＭＣＨ２およびＭＣＨ３の資源ブロックを含む。
【００５７】
サービスＡのＭＢＭＳサービス・データを担持するＭＣＨが、ＭＣＨ１であると事前に決定されている場合には、ｅＮＢは、ＭＣＣＨメッセージが更新されるＭＣＣＨ修正期間の第１の反復期間中にＭＣＣＨメッセージを伝送する時間から溯って、ＭＣＨ１の第１のスケジューリング期間、すなわち図６に示す時間１に対応するスケジューリング期間を検索し、発見したＭＣＨ１の第１のスケジューリング期間を、サービスＡのＭＢＭＳサービス・データの送信を中断または再開するスケジューリング期間として決定する。
【００５８】
サービスＡのＭＢＭＳサービス・データを担持するＭＣＨが、ＭＣＨ２であると事前に決定されている場合には、ｅＮＢは、ＭＣＣＨメッセージが更新されるＭＣＣＨ修正期間の第１の反復期間中にＭＣＣＨメッセージを伝送する時間から溯って、ＭＣＨ２の第１のスケジューリング期間、すなわち図６に示す時間２に対応するスケジューリング期間を検索し、発見したＭＣＨ２の第１のスケジューリング期間を、サービスＡのＭＢＭＳサービス・データの送信を中断または再開するスケジューリング期間として決定する。
【００５９】
サービスＡのＭＢＭＳサービス・データを担持するＭＣＨが、ＭＣＨ３であると事前に決定されている場合には、ｅＮＢは、ＭＣＣＨメッセージが更新されるＭＣＣＨ修正期間の第１の反復期間中にＭＣＣＨメッセージを伝送する時間から溯って、ＭＣＨ３の第１のスケジューリング期間、すなわち図６に示す時間３に対応するスケジューリング期間を検索し、発見したＭＣＨ３の第１のスケジューリング期間を、サービスＡのＭＢＭＳサービス・データの送信を中断または再開するスケジューリング期間として決定する。
【００６０】
実施方法３。ＭＣＣＨメッセージが更新されるＭＣＣＨ修正期間中の第２のＭＣＣＨ反復期間の開始時間から、ＭＢＭＳサービス・データを担持するＭＣＨの第１のスケジューリング期間を溯って検索し、発見したスケジューリング期間を、ＭＢＭＳサービス・データを中断または再開するスケジューリング期間として決定する。
【００６１】
各ＭＣＣＨ修正期間は、４つのＭＣＣＨ反復期間を含むことができるが、異なるＭＣＣＨ反復期間中でも、伝送されるＭＣＣＨメッセージの内容は同じである。
【００６２】
サービスＡのＭＢＭＳサービス・データをサポートおよび担持するＭＣＨが、ＭＣＨ１であると事前に決定されている場合には、ｅＮＢは、ＭＣＣＨメッセージが更新されるＭＣＣＨ修正期間の第２の反復期間の開始時間から溯って、ＭＣＨ１の第１のスケジューリング期間、すなわち図７に示す時間１に対応するスケジューリング期間を検索し、発見したＭＣＨ１の第１のスケジューリング期間を、サービスＡのＭＢＭＳサービス・データの送信を中断または再開するスケジューリング期間として決定する。
【００６３】
サービスＡのＭＢＭＳサービス・データを担持するＭＣＨが、ＭＣＨ２であると事前に決定されている場合には、ｅＮＢは、ＭＣＣＨメッセージが更新されるＭＣＣＨ修正期間の第２の反復期間の開始時間から溯って、ＭＣＨ２の第１のスケジューリング期間、すなわち図７に示す時間２に対応するスケジューリング期間を検索し、発見したＭＣＨ２の第１のスケジューリング期間を、サービスＡのＭＢＭＳサービス・データの送信を中断または再開するスケジューリング期間として決定する。
【００６４】
サービスＡのＭＢＭＳサービス・データを担持するＭＣＨが、ＭＣＨ３であると事前に決定されている場合には、ｅＮＢは、ＭＣＣＨメッセージが更新されるＭＣＣＨ修正期間の第２の反復期間の開始時間から溯って、ＭＣＨ３の第１のスケジューリング期間、すなわち図７に示す時間３に対応するスケジューリング期間を検索し、発見したＭＣＨ３の第１のスケジューリング期間を、サービスＡのＭＢＭＳサービス・データの送信を中断または再開するスケジューリング期間として決定する。
【００６５】
ステップ４５。ｅＮＢが、ステップ４４で決定したスケジューリング期間中にサービスＡのＭＢＭＳサービス・データの送信を中断または再開する。
【００６６】
ｅＮＢがステップ４４で決定したスケジューリング期間中にサービスＡのＭＢＭＳサービス・データのＵＥへの送信を中断または開始するか否かに関わらず、データ・ソースは、ゲートウェイ（Ｇａｔｅ  Ｗａｙ、ＧＷと略記する）を介してサービスＡのＭＢＭＳサービス・データを送達し続ける。ｅＮＢは、サービスＡなど特定のサービスのＭＢＭＳサービス・データの送信を中断するときには、ＩＰマルチキャスト・グループから出て、ＭＣＥがサービスＡの再開を命令したときに再度対応するＩＰマルチキャスト・グループに加わるようにすることができる。このように、ｅＮＢは、このＭＢＭＳサービスの中断期間中には、そのＭＢＭＳサービスのデータ・パケットを受信しない。あるいは、ｅＮＢは、ＩＰマルチキャスト・グループを出なくてもよく、その場合には、ＭＣＥがサービスＡの再開を命令したときにＩＰマルチキャスト・グループに再度加わる必要はない。この方法を採用した場合には、ｅＮＢは、サービスＡの中断期間中にもサービスＡのＭＢＭＳデータを受信し続け、受信したサービスＡのＭＢＭＳデータをただ廃棄すればよい。
【００６７】
この実施形態では、同じＭＢＳＦＡ内の各ｅＮＢは、ＭＣＣＨメッセージが更新されるＭＣＣＨ修正期間の特定の同じ時間に従って、ＭＢＭＳサービス・データの伝送制御を開始する同じスケジューリング期間を決定し、この決定したスケジューリング期間中に同じサービスのＭＢＭＳサービス・データの送信を中断または再開するので、ｅＮＢが同じサービスのＭＢＭＳサービス・データの送信を同期して中断または再開し、それによりサービスの干渉を低減することが実現する。
【００６８】
図８は、本発明の第４の実施形態によるＭＢＭＳサービス・データの伝送制御方法を示すシグナリング相互作用図である。この実施形態における基準時間は、ＭＣＣＨメッセージを更新するＭＣＣＨ修正期間後のＮ番目のＭＣＣＨ修正期間の開始時間である。ここで、Ｎは、ＭＣＣＨ修正期間偏差値を表し、１以上の整数である。図８に示すように、この実施形態による方法は、以下のステップを含む。
【００６９】
ステップ８１。ＭＣＥが、サービスＡを中断または再開することを決定し、ＭＢＭＳスケジューリング情報を生成する。
【００７０】
ステップ８２。ＭＣＥが、ＭＢＭＳスケジューリング情報をｅＮＢに送信する。ここで、ＭＢＭＳスケジューリング情報は、パラメータ「ＭＣＣＨ更新修正期間」を含む。
【００７１】
ステップ８３。ｅＮＢが、ＭＢＭＳスケジューリング情報を受信し、そのＭＢＭＳスケジューリング情報に含まれるパラメータ「ＭＣＣＨ更新修正期間」に対応するＭＣＣＨ修正期間中にＭＣＣＨメッセージを更新する。
【００７２】
ステップ８４。ｅＮＢが、ＭＣＣＨメッセージが更新されるＭＣＣＨ修正期間後のＮ番目のＭＣＣＨ修正期間の開始時間から、ＭＢＭＳサービス・データを担持するＭＣＨの第１のスケジューリング期間を、ＭＢＭＳサービス・データを中断または再開するスケジューリング期間として決定する。ここで、Ｎは、ＭＣＣＨ修正期間偏差値を表し、１以上の整数である。
【００７３】
ｅＮＢは、ＭＢＭＳサービス・データの中断または再開を開始するスケジューリング期間を決定するときにＭＣＣＨ修正期間偏差値Ｎを事前に取得する。同じＭＢＳＦＡ範囲内の各ｅＮＢによって設定されるスケジューリング期間偏差値Ｎは、同じである。
【００７４】
必要に応じて、ＭＣＣＨ修正期間偏差値Ｎは、ｅＮＢで事前に設定することができる。あるいは、ＭＣＣＨ修正期間偏差値Ｎは、ＭＣＥなどのネットワーク側装置がｅＮＢに対して示すこともできる。ＭＣＥなどのネットワーク側装置がｅＮＢに対してＭＣＣＨ修正期間偏差値Ｎを示す方法は上述の特定の方法に限定されず、例えば、ＭＣＣＨ修正期間偏差値Ｎは、上記のステップ８２で述べたＭＢＭＳスケジューリング情報に含めて送ってｅＮＢに対して示すこともできるし、あるいは、初期設定メッセージやＭＢＭＳサービス開始／終了／更新メッセージなど、ＭＢＭＳスケジューリング情報を除く、ＭＣＥとｅＮＢの間のその他のＭ２インタフェース・メッセージに含めて送ることもできる。
【００７５】
Ｎ＝１は、説明のための一例とみなす。
【００７６】
サービスＡのＭＢＭＳサービス・データを担持するＭＣＨが、ＭＣＨ１であると事前に決定されている場合には、ｅＮＢは、ＭＣＣＨメッセージが更新されるＭＣＣＨ修正期間後の第１のＭＣＣＨ修正期間の開始時間から溯って、ＭＣＨ１の第１のスケジューリング期間、すなわち図９に示す時間１に対応するスケジューリング期間を検索し、発見したＭＣＨ１の第１のスケジューリング期間を、サービスＡのＭＢＭＳサービス・データを中断または再開するスケジューリング期間として決定する。
【００７７】
サービスＡのＭＢＭＳサービス・データを担持するＭＣＨが、ＭＣＨ２であると事前に決定されている場合には、ｅＮＢは、ＭＣＣＨメッセージが更新されるＭＣＣＨ修正期間後の第１のＭＣＣＨ修正期間の開始時間から溯って、ＭＣＨ２の第１のスケジューリング期間、すなわち図９に示す時間２に対応するスケジューリング期間を検索し、発見したＭＣＨ２の第１のスケジューリング期間を、サービスＡのＭＢＭＳサービス・データを中断または再開するスケジューリング期間として決定する。
【００７８】
サービスＡのＭＢＭＳサービス・データを担持するＭＣＨが、ＭＣＨ３であると事前に決定されている場合には、ｅＮＢは、ＭＣＣＨメッセージが更新されるＭＣＣＨ修正期間後の第１のＭＣＣＨ修正期間の開始時間から溯って、ＭＣＨ３の第１のスケジューリング期間、すなわち図９に示す時間３に対応するスケジューリング期間を検索し、発見したＭＣＨ３の第１のスケジューリング期間を、サービスＡのＭＢＭＳサービス・データを中断または再開するスケジューリング期間として決定する。
【００７９】
ＭＣＣＨ修正期間偏差値Ｎが２以上の整数であるときの実施方法は、前述のＮ＝１のときの技術的解決策と同様であるので、ここでは繰り返し述べることはしない。
【００８０】
ステップ８５。ｅＮＢが、ステップ８４で決定したスケジューリング期間中にサービスＡのＭＢＭＳサービス・データの送信を中断または再開する。
【００８１】
この実施形態では、同じＭＢＳＦＡ内の各ｅＮＢは、同じ基準時間を使用して、ＭＢＭＳサービス・データの伝送制御を開始する同じスケジューリング期間を決定し、決定したスケジューリング期間中に同じサービスのＭＢＭＳサービス・データの送信を中断または再開するので、ｅＮＢが同じサービスのＭＢＭＳサービス・データの送信を同期して中断または再開し、それによりサービスの干渉を低減することを実現することができる。
【００８２】
図１０は、本発明の第５の実施形態によるＭＢＭＳサービス・データの伝送制御方法を示すシグナリング相互作用図である。この実施形態における基準時間は、ネットワーク側装置によって示される開始時間である。図１０に示すように、この実施形態による方法は、以下のステップを含む。
【００８３】
ステップ１０１。ＭＣＥが、サービスＡを中断または再開することを決定し、ＭＢＭＳスケジューリング情報を生成する。
【００８４】
ステップ１０２。ＭＣＥが、ＭＢＭＳスケジューリング情報をｅＮＢに送信する。ここで、ＭＢＭＳスケジューリング情報は、パラメータ「ＭＣＣＨ更新修正期間」を含む。
【００８５】
ステップ１０３。ｅＮＢが、ＭＢＭＳスケジューリング情報を受信し、そのＭＢＭＳスケジューリング情報に含まれるパラメータ「ＭＣＣＨ更新修正期間」に対応するＭＣＣＨ修正期間中にＭＣＣＨメッセージを更新する。
【００８６】
ステップ１０４。ｅＮＢが、ネットワーク側装置によって示される開始時間から、ＭＢＭＳサービス・データを担持するＭＣＨの第１のスケジューリング期間を、ＭＢＭＳサービス・データを中断または再開するスケジューリング期間として決定する。
【００８７】
必要に応じて、ＭＢＭＳサービス・データの中断または再開を開始するスケジューリング期間を決定する前に、ｅＮＢは、基準時間を含む指示情報を受信することができる。ここで、この基準時間は、ＭＣＥによって示される開始時間など、ネットワーク側装置によって示される開始時間を含むことができる。ＭＣＥによって示される開始時間など、ネットワーク側装置によって示される開始時間に従って、ｅＮＢは、ＭＢＭＳサービス・データを中断または再開するスケジューリング期間を決定する。ＭＣＥなどのネットワーク側装置が示し、同じＭＢＳＦＡ範囲内の各ｅＮＢが取得する開始時間は、同じである。
【００８８】
ＭＣＥなどのネットワーク側装置によって示される開始時間は、上記のステップ１０２に述べたＭＢＭＳスケジューリング情報に含めて送り、ｅＮＢに対して示すこともできるし、あるいは、初期設定メッセージやＭＢＭＳサービス開始／終了／更新メッセージなど、ＭＢＭＳスケジューリング情報を除く、ＭＣＥとｅＮＢの間のその他のＭ２インタフェース・メッセージに含めて送ることもできる。
【００８９】
ステップ１０５。ｅＮＢが、ステップ１０４で決定したスケジューリング期間中にサービスＡのＭＢＭＳサービス・データの送信を中断または再開する。
【００９０】
この実施形態では、同じＭＢＳＦＡ内の各ｅＮＢは、ネットワーク側装置によって示される開始時間に従ってＭＢＭＳサービス・データの伝送制御を開始する同じスケジューリング期間を決定し、決定したスケジューリング期間中に同じサービスのＭＢＭＳサービス・データの送信を中断または再開するので、ｅＮＢが同じサービスのＭＢＭＳサービス・データの送信を同期して中断または再開し、それによりサービスの干渉を低減することを実現することができる。
【００９１】
図１１は、本発明の第６の実施形態による基地局を示す概略構造図である。図１１に示す基地局は、スケジューリング期間決定モジュール１１１および伝送制御モジュール１１２を含む。
【００９２】
スケジューリング期間決定モジュール１１１は、基準時間に従って、ＭＢＭＳサービス・データの送信を中断または再開するスケジューリング期間を決定するように構成することができる。
【００９３】
伝送制御モジュール１１２は、決定されたスケジューリング期間中にＭＢＭＳサービス・データの送信を中断または再開するように構成することができる。
【００９４】
前述の技術的解決策に基づいて、必要に応じて、スケジューリング期間決定モジュール１１１は、さらに、基準時間に従って基準時間後のマルチメディア・ブロードキャスト／マルチキャスト・サービス・データを担持するマルチキャスト・チャネルのＭ番目のスケジューリング期間を、マルチメディア・ブロードキャスト／マルチキャスト・サービス・データの送信を中断または再開するスケジューリング期間として決定するように構成することができる。ここで、Ｍは、１以上の整数である。
【００９５】
必要に応じて、基準時間は、ＭＣＣＨメッセージが更新されるＭＣＣＨ修正期間の開始時間を含むことができる。この場合には、スケジューリング期間決定モジュール１１１は、ＭＣＣＨメッセージが更新されるＭＣＣＨ修正期間の開始時間から、ＭＢＭＳサービス・データを担持するＭＣＨのＭ番目のスケジューリング期間を、ＭＢＭＳサービス・データを中断または再開するスケジューリング期間として決定するようにさらに構成することができる。ＭＣＣＨメッセージは、ＭＢＭＳサービス・データに対応する制御シグナリングを含む。
【００９６】
必要に応じて、基準時間は、ＭＣＣＨメッセージが更新されるＭＣＣＨ修正期間中で最初にＭＣＣＨメッセージを伝送する開始時間を含むことができる。この場合には、スケジューリング期間決定モジュール１１１は、ＭＣＣＨメッセージが更新されるＭＣＣＨ修正期間中で最初にＭＣＣＨメッセージを伝送する開始時間から、ＭＢＭＳサービス・データを担持するＭＣＨのＭ番目のスケジューリング期間を、ＭＢＭＳサービス・データを中断または再開するスケジューリング期間として決定するようにさらに構成することができる。
【００９７】
必要に応じて、基準時間は、ＭＣＣＨメッセージが更新されるＭＣＣＨ修正期間中の第２のＭＣＣＨ反復期間の開始時間を含むことができる。この場合には、スケジューリング期間決定モジュール１１１は、ＭＣＣＨメッセージが更新されるＭＣＣＨ修正期間中の第２のＭＣＣＨ反復期間の開始時間から、ＭＢＭＳサービス・データを担持するＭＣＨのＭ番目のスケジューリング期間を、ＭＢＭＳサービス・データを中断または再開するスケジューリング期間として決定するようにさらに構成することができる。
【００９８】
必要に応じて、基準時間は、ＭＣＣＨメッセージが更新されるＭＣＣＨ修正期間後のＮ番目ＭＣＣＨ修正期間の開始時間を含むことができる。ここで、Ｎは、ＭＣＣＨ修正期間偏差値を表しており、１以上の整数である。この場合には、スケジューリング期間決定モジュール１１１は、ＭＣＣＨメッセージが更新されるＭＣＣＨ修正期間後のＮ番目のＭＣＣＨ修正期間の開始時間から、ＭＢＭＳサービス・データを担持するＭＣＨのＭ番目のスケジューリング期間を、ＭＢＭＳサービス・データを中断または再開するスケジューリング期間として決定するようにさらに構成することができる。さらに、基地局は、取得モジュール１１３も含むことができる。取得モジュール１１３は、ＭＣＣＨ修正期間偏差値を事前に設定するように、またはＭＣＣＨ修正期間偏差値を含む受信した指示情報に従ってＭＣＣＨ修正期間偏差値を取得するように構成することができる。
【００９９】
必要に応じて、基準時間は、ＭＣＥによって示される開始時間など、ネットワーク側装置によって示される開始時間を含むことができる。この場合には、基地局は、さらに取得モジュール１１３を含むことができる。取得モジュールは、基準時間を含む指示情報を受信するように構成され、この基準時間は、ネットワーク側装置によって示される開始時間を含む。スケジューリング期間決定モジュール１１１は、ＭＣＥなどのネットワーク側装置によって示される開始時間から、ＭＢＭＳサービス・データを担持するＭＣＨのＭ番目のスケジューリング期間を、ＭＢＭＳサービス・データを中断または再開するスケジューリング期間として決定するようにさらに構成することができる。ここで、Ｍは、１以上の整数である。
【０１００】
事前に取得した基準時間に従って、この実施形態で提供される基地局は、ＭＢＭＳサービス・データの送信を中断または再開するスケジューリング期間を決定することができ、決定したスケジューリング期間中にＭＢＭＳサービス・データの送信を中断または再開して、基地局によるＭＢＭＳサービス・データの伝送制御を実現する。同じＭＢＳＦＡ内の各基地局が、本発明の実施形態で提供される同じ方法を使用して、特定のサービスのＭＢＭＳサービス・データの送信の中断または再開を開始する同じスケジューリング期間を決定することができるので、これらの基地局が、同じサービスのＭＢＭＳサービス・データの送信を同期して中断または再開し、それによりサービスの干渉を低減しやすくすることができる。この実施形態で提供される基地局の動作原理については、図１および図４から図１０の対応する実施形態の対応する記録を参照すればよいので、ここでは繰り返し述べることはしない。
【０１０１】
図１２は、本発明の第７の実施形態によるネットワーク装置を示す概略構造図である。図１２に示すネットワーク装置は、生成モジュール１２１および送信モジュール１２２を含む。
【０１０２】
生成モジュール１２１は、基準時間を含む指示情報を生成するように構成することができる。基準時間は、基地局がＭＢＭＳサービス・データを中断または再開するスケジューリング期間を決定するために使用されるが、ネットワーク側装置によって指定される開始時間、またはＭＣＣＨ修正期間偏差値Ｎを含むことができ（ただしこれらに限定されない）、前者のネットワーク側装置によって指定される開始時間の場合には、基地局が、ネットワーク側装置によって示された開始時間に従ってマルチメディア・ブロードキャスト／マルチキャスト・サービス・データの送信を中断または再開するスケジューリング期間を決定し、後者のＭＣＣＨ修正期間偏差値Ｎの場合には、基地局が、マルチキャスト制御チャネル・メッセージが更新されるマルチキャスト制御チャネル修正期間後のＮ番目のマルチキャスト制御チャネル修正期間の開始時間に従って、マルチメディア・ブロードキャスト／マルチキャスト・サービス・データの送信を中断または再開するスケジューリング期間を決定する。ここで、Ｎは、１以上の整数である。送信モジュール１２２は、同じマルチメディア・ブロードキャスト／マルチキャスト・サービス単一周波数ネットワーク領域範囲内の各基地局に指示情報を送信して、各基地局に、基準時間に従って、マルチメディア・ブロードキャスト／マルチキャスト・サービス・データの送信を中断または再開するスケジューリング期間を決定するように命令するように構成することができる。
【０１０３】
この実施形態で提供されるネットワーク装置は、ある特定のサービスのＭＢＭＳサービス・データの送信を中断または再開するスケジューリング期間を決定するための基準時間を、同じＭＢＳＦＡ内の各基地局に対して示して、同じＭＢＳＦＡ内の各基地局が、基準時間に従って、そのサービスのＭＢＭＳサービス・データの送信を中断または再開する同じスケジューリング期間を決定することができるようにし、それにより、これらの基地局が、同じサービスのＭＢＭＳサービス・データの送信を同期して中断または再開するようにし、それによりサービスの干渉を低減しやすくする。この実施形態で提供されるネットワーク装置は、ＭＣＥとすることができ（ただしこれに限定されない）、その動作原理については、図２および図４から図１０の対応する実施形態の対応する記録を参照すればよいので、ここでは繰り返し述べることはしない。
【０１０４】
さらに、本発明の実施形態は、さらに通信システムも提供する。この通信システムは、図１１に示す基地局、および図１２に示すネットワーク装置を少なくとも含み、この基地局とネットワーク装置は、互いに通信接続されている。基地局の動作原理については、図１および図４から図１０の対応する実施形態の対応する記録を参照すればよく、ネットワーク装置の動作原理については、図２および図４から図１０の対応する実施形態の対応する記録を参照すればよいので、ここでは繰り返し述べることはしない。
【０１０５】
添付の図面は、実施形態の単なる概略図であり、添付の図面に示すモジュールまたはプロセスは、必ずしも本発明の実施に必要とは限らないことは、当業者なら理解されたい。
【０１０６】
当業者なら、上記の実施形態における装置に含まれるモジュールが、各実施形態の説明の通りに各実施形態の装置に分散していてもよいし、あるいは対応する変更を行った後で各実施形態で述べたものとは異なる１つまたは複数の装置に割り付けてもよいことを理解されたい。前述の実施形態におけるモジュールは、結合して１つのモジュールにしてもよいし、さらに分割して複数のサブモジュールにしてもよい。
【０１０７】
最後に、上述の実施形態は、単に本発明の技術的解決策を説明するためのものであって、本発明を制限するためのものではないことに留意されたい。上述の実施形態を参照して本発明について詳細に述べたが、当業者なら、上述の実施形態に記録した技術的解決策にさらに修正を加える、またはこれらの技術的解決策の一部の技術的特徴について等価な置換を行うことができ、これらの修正または置換によって、対応する技術的解決策の本質が本発明の実施形態の技術的解決策の趣旨および範囲を逸脱することはないことを理解されたい。
【図１】
0005977824.tif 000002
【図２】
0005977824.tif 000003
【図３Ａ】
0005977824.tif 000004
【図３Ｂ】
0005977824.tif 000005
【図３Ｃ】
0005977824.tif 000006
【図３Ｄ】
0005977824.tif 000007
【図３Ｅ】
0005977824.tif 000008
【図４】
0005977824.tif 000009
【図５】
0005977824.tif 000010
【図６】
0005977824.tif 000011
【図７】
0005977824.tif 000012
【図８】
0005977824.tif 000013
【図９】
0005977824.tif 000014
【図１０】
0005977824.tif 000015
【図１１】
0005977824.tif 000016
【図１２】
0005977824.tif 000017